(57)【特許請求の範囲】
【請求項１】
ＲＦＩＤチップと、
前記ＲＦＩＤチップに接続されるアンテナであって、リーダライタより送信された信号電波が照射された場合に発生する電気信号を当該ＲＦＩＤチップに供給するとともに、当該ＲＦＩＤチップより送信される電気信号を信号電波として送信するアンテナである第一アンテナと、
前記第一アンテナとは異なるアンテナである第二アンテナと、
リーダライタより送信された信号電波が前記第二アンテナに対して照射された場合に発生する電気信号を復調して受信するタグ受信手段と、
報知を行うタグ報知手段と、
前記タグ受信手段にて受信された信号に基づき、前記タグ報知手段を制御して報知を実行させるタグ制御手段と、
前記タグ受信手段、前記タグ報知手段、及び前記タグ制御手段を駆動させるための電力を供給するタグ電力供給手段であって、前記第一アンテナ及び前記第二アンテナのうち少なくとも一つにリーダライタより送信された信号電波が照射された場合に発生する電気信号から電力を生成するタグ電力供給手段と
を備えたことを特徴とするＲＦＩＤタグ。
【請求項２】
前記第一アンテナ及び前記第二アンテナとは異なるアンテナである第三アンテナをさらに備え、
前記タグ電力供給手段は、
前記第三アンテナに対してリーダライタより送信された信号電波が照射された場合に発生する電気信号から電力を生成することを特徴とする請求項１に記載のＲＦＩＤタグ。
【請求項３】
前記ＲＦＩＤタグを識別するためのＩＤである識別ＩＤを記憶するタグ記憶手段をさらに備え、
前記ＲＦＩＤチップは、
当該ＲＦＩＤチップに固有のＩＤである固有ＩＤを記憶するチップ記憶手段と、
前記第一アンテナにて発生した電気信号を復調し受信するチップ受信手段と、
前記第一アンテナに対して変調した電気信号を送信し、当該第一アンテナより信号電波を送信させるチップ送信手段とを備え、
前記チップ受信手段は、
前記第一アンテナにて発生した電気信号を復調して受信し、
前記チップ受信手段にて復調され受信された結果の信号が、固有ＩＤを指定した信号である固有ＩＤ指定信号であり、且つ、当該固有ＩＤと、前記チップ記憶手段に記憶されている固有ＩＤとが所定の関係を満たす場合に、前記チップ送信手段は、返答信号を変調して送信し、
前記チップ送信手段にて返答信号が変調され送信された後、前記タグ受信手段が前記第二アンテナにて発生した電気信号を復調し受信した場合において、
前記タグ制御手段は、
前記タグ受信手段にて復調され受信された結果の信号が、識別ＩＤを指定した信号である識別ＩＤ指定信号であり、且つ、当該識別ＩＤと、前記タグ記憶手段に記憶されている識別ＩＤとが所定の関係を満たす場合に、前記タグ報知手段を制御して報知を実行させることを特徴とする請求項１又は２に記載のＲＦＩＤタグ。
【請求項４】
請求項３に記載のＲＦＩＤタグを制御するためのリーダライタであって、
前記ＲＦＩＤタグを識別するための識別ＩＤと、当該ＲＦＩＤタグに内蔵されているＲＦＩＤチップに固有の固有ＩＤとを対応付けて記憶するＲ／Ｗ記憶手段と、
所望のＲＦＩＤタグに内蔵されている前記ＲＦＩＤチップの固有ＩＤを指定した信号である固有ＩＤ指定信号を、前記第一アンテナにて受信可能な周波数を用いて変調し送信する第一Ｒ／Ｗ送信手段と、
前記第一Ｒ／Ｗ送信手段にて送信された固有ＩＤ指定信号に応じて、所望のＲＦＩＤタグより返信される返答信号を受信し復調する第一Ｒ／Ｗ受信手段と、
前記第一Ｒ／Ｗ受信手段にて前記返答信号を受信し復調した場合に、当該返答信号を返信したＲＦＩＤタグが有する識別ＩＤを、前記Ｒ／Ｗ記憶手段に記憶されている識別ＩＤを参照して抽出する識別ＩＤ抽出手段と、
前記識別ＩＤ抽出手段にて抽出した識別ＩＤを指定した信号である識別ＩＤ指定信号を、前記第二アンテナにて受信可能な周波数を用いて変調し送信する第二Ｒ／Ｗ送信手段と
を備えたことを特徴とするリーダライタ。
【請求項５】
リーダライタを使用して所望のＲＦＩＤタグを探索するＲＦＩＤタグシステムであって、
ＲＦＩＤタグは、
ＲＦＩＤチップと、
前記ＲＦＩＤチップに接続されたアンテナであって、リーダライタより送信された信号電波が照射された場合に発生する電気信号を当該ＲＦＩＤチップに供給するとともに、当該ＲＦＩＤチップより送信される電気信号を信号電波として送信するアンテナである第一アンテナと、
前記第一アンテナとは異なるアンテナである第二アンテナと、
前記ＲＦＩＤタグを識別するためのＩＤである識別ＩＤを記憶するタグ記憶手段と、
リーダライタより送信された信号電波が前記第二アンテナに対して照射された場合に発生する電気信号を復調し受信するタグ受信手段と、
報知を行うタグ報知手段と、
前記タグ受信手段にて復調され受信された信号に基づき、前記タグ報知手段を制御して報知を実行させるタグ制御手段と、
前記タグ受信手段、前記タグ報知手段、及び前記タグ制御手段を駆動させるための電力を供給するタグ電力供給手段であって、前記第一アンテナ及び前記第二アンテナのうち少なくとも一つにリーダライタより送信された信号電波が照射された場合に発生する電気信号から電力を生成するタグ電力供給手段とを備え、
前記ＲＦＩＤチップは、
固有のＩＤである固有ＩＤを記憶するチップ記憶手段と、
前記第一アンテナにて発生した電気信号を復調し受信するチップ受信手段と、
前記第一アンテナに対して変調した電気信号を送信し、当該第一アンテナより信号電波を送信させるチップ送信手段とを備え、
前記チップ受信手段は、
前記第一アンテナにて発生した電気信号を復調して受信し、
前記チップ受信手段にて復調され受信された結果の信号が、固有ＩＤを指定した信号である固有ＩＤ指定信号であり、且つ、当該固有ＩＤと、前記チップ記憶手段に記憶されている固有ＩＤとが所定の関係を満たす場合に、前記チップ送信手段は、返答信号を変調して送信し、
前記チップ送信手段にて返答信号が変調され送信された後、前記タグ受信手段が前記第二アンテナにて発生した電気信号を復調し受信した場合において、
前記タグ制御手段は、
前記タグ受信手段にて復調され受信された結果の信号が、識別ＩＤを指定した信号である識別ＩＤ指定信号であり、且つ、当該識別ＩＤと、前記タグ記憶手段に記憶されている識別ＩＤとが所定の関係を満たす場合に、前記タグ報知手段を制御して報知を実行させ、
リーダライタは、
前記ＲＦＩＤタグを識別するための識別ＩＤと、当該ＲＦＩＤタグに内蔵されているＲＦＩＤチップに固有の固有ＩＤとを対応付けて記憶するＲ／Ｗ記憶手段と、
所望のＲＦＩＤタグに内蔵されている前記ＲＦＩＤチップの固有ＩＤを指定した信号である固有ＩＤ指定信号を、前記第一アンテナにて受信可能な周波数を用いて変調し送信する第一Ｒ／Ｗ送信手段と、
前記第一Ｒ／Ｗ送信手段にて送信された固有ＩＤ指定信号に応じて、所望のＲＦＩＤタグより返信される返答信号を復調し受信する第一Ｒ／Ｗ受信手段と、
前記第一Ｒ／Ｗ受信手段にて前記返答信号を復調し受信した場合に、当該返答信号を返信したＲＦＩＤタグが有する識別ＩＤを、Ｒ／Ｗ記憶手段に記憶されている識別ＩＤを参照して抽出する識別ＩＤ抽出手段と、
前記識別ＩＤ抽出手段にて抽出した識別ＩＤを指定した信号である識別ＩＤ指定信号を、前記第二アンテナにて受信可能な周波数を用いて変調し送信する第二Ｒ／Ｗ送信手段と
を備えたことを特徴とするＲＦＩＤタグシステム。
【発明の詳細な説明】
【技術分野】
【０００１】
本発明は、ＲＦＩＤタグ、リーダライタ、及びＲＦＩＤタグシステムに関する。そしてより詳細には、既存のＲＦＩＤチップを使用しつつ、ＲＦＩＤタグが備える報知手段からの報知をリーダライタより制御することが可能なＲＦＩＤタグ、当該ＲＦＩＤタグを制御して報知を実行させることが可能なリーダライタ、及び、当該ＲＦＩＤタグ及び当該リーダライタを含むＲＦＩＤタグシステムに関する。
【背景技術】
【０００２】
近年、ＲＦＩＤ（Ｒａｄｉｏ  Ｆｒｅｑｕｅｎｃｙ  ＩＤｅｎｔｉｆｉｃａｔｉｏｎ）タグを物品に貼り付け、これをリーダライタにて読み取ることにより、物品の流通管理が行われている。また、ＲＦＩＤタグにＬＥＤやブザーなどの報知手段を付加し、リーダライタにて特定のＲＦＩＤタグの報知手段を反応させて報知を実行させることにより、複数のＲＦＩＤタグの中から所望のＲＦＩＤタグを見つけ出すことが可能なＲＦＩＤタグ及び当該ＲＦＩＤタグを使用した物品検索システム、物品収納システムが提案されている。
【特許文献１】特開２００６−２４０１８号公報
【発明の開示】
【発明が解決しようとする課題】
【０００３】
しかしながら、ＲＦＩＤタグの制御デバイスとして一般的に用いられるＲＦＩＤチップには、小型化、低消費電力化、及び低価格化の要請により、付加される報知手段を制御する制御ポートが設けられていない。従って、報知手段をＲＦＩＤタグに付加して報知を制御するためには、報知手段の制御用の制御ポートを備えた特別なＲＦＩＤチップを別途作成する必要があり、ＲＦＩＤチップ、ＲＦＩＤタグのコストが高価となってしまうという問題点があった。
【０００４】
本発明は上記問題点を解決するためになされたものであり、安価な既存のＲＦＩＤチップを採用しつつ、報知手段を制御して報知を実行させることが可能なＲＦＩＤタグ、当該ＲＦＩＤタグを制御して報知を実行させることが可能なリーダライタ、及び、当該ＲＦＩＤタグと当該リーダライタとを含むＲＦＩＤタグシステムを提供することを目的とする。
【課題を解決するための手段】
【０００５】
上記課題を解決するために、請求項１に係る発明のＲＦＩＤタグは、ＲＦＩＤチップと、前記ＲＦＩＤチップに接続されるアンテナであって、リーダライタより送信された信号電波が照射された場合に発生する電気信号を当該ＲＦＩＤチップに供給するとともに、当該ＲＦＩＤチップより送信される電気信号を信号電波として送信するアンテナである第一アンテナと、前記第一アンテナとは異なるアンテナである第二アンテナと、リーダライタより送信された信号電波が前記第二アンテナに対して照射された場合に発生する電気信号を復調して受信するタグ受信手段と、報知を行うタグ報知手段と、前記タグ受信手段にて受信された信号に基づき、前記タグ報知手段を制御して報知を実行させるタグ制御手段と、前記タグ受信手段、前記タグ報知手段、及び前記タグ制御手段を駆動させるための電力を供給するタグ電力供給手段であって、前記第一アンテナ及び前記第二アンテナのうち少なくとも一つにリーダライタより送信された信号電波が照射された場合に発生する電気信号から電力を生成するタグ電力供給手段とを備えている。
【０００６】
また、請求項２に係る発明のＲＦＩＤタグは、請求項１に記載の発明の構成に加えて、前記第一アンテナ及び前記第二アンテナとは異なるアンテナである第三アンテナをさらに備え、前記タグ電力供給手段は、前記第三アンテナに対してリーダライタより送信された信号電波が照射された場合に発生する電気信号から電力を生成することを特徴とする。
【０００７】
また、請求項３に係る発明のＲＦＩＤタグは、請求項１又は２に記載の発明の構成に加えて、前記ＲＦＩＤタグを識別するためのＩＤである識別ＩＤを記憶するタグ記憶手段をさらに備え、前記ＲＦＩＤチップは、当該ＲＦＩＤチップに固有のＩＤである固有ＩＤを記憶するチップ記憶手段と、前記第一アンテナにて発生した電気信号を復調し受信するチップ受信手段と、前記第一アンテナに対して変調した電気信号を送信し、当該第一アンテナより信号電波を送信させるチップ送信手段とを備え、前記チップ受信手段は、前記第一アンテナにて発生した電気信号を復調して受信し、前記チップ受信手段にて復調され受信された結果の信号が、固有ＩＤを指定した信号である固有ＩＤ指定信号であり、且つ、当該固有ＩＤと、前記チップ記憶手段に記憶されている固有ＩＤとが所定の関係を満たす場合に、前記チップ送信手段は、返答信号を変調して送信し、前記チップ送信手段にて返答信号が変調され送信された後、前記タグ受信手段が前記第二アンテナにて発生した電気信号を復調し受信した場合において、前記タグ制御手段は、前記タグ受信手段にて復調され受信された結果の信号が、識別ＩＤを指定した信号である識別ＩＤ指定信号であり、且つ、当該識別ＩＤと、前記タグ記憶手段に記憶されている識別ＩＤとが所定の関係を満たす場合に、前記タグ報知手段を制御して報知を実行させることを特徴とする。
【０００８】
また、請求項４に係る発明のリーダライタは、請求項３に記載のＲＦＩＤタグを制御するためのリーダライタであって、前記ＲＦＩＤタグを識別するための識別ＩＤと、当該ＲＦＩＤタグに内蔵されているＲＦＩＤチップに固有の固有ＩＤとを対応付けて記憶するＲ／Ｗ記憶手段と、所望のＲＦＩＤタグに内蔵されている前記ＲＦＩＤチップの固有ＩＤを指定した信号である固有ＩＤ指定信号を、前記第一アンテナにて受信可能な周波数を用いて変調し送信する第一Ｒ／Ｗ送信手段と、前記第一Ｒ／Ｗ送信手段にて送信された固有ＩＤ指定信号に応じて、所望のＲＦＩＤタグより返信される返答信号を受信し復調する第一Ｒ／Ｗ受信手段と、前記第一Ｒ／Ｗ受信手段にて前記返答信号を受信し復調した場合に、当該返答信号を返信したＲＦＩＤタグが有する識別ＩＤを、前記Ｒ／Ｗ記憶手段に記憶されている識別ＩＤを参照して抽出する識別ＩＤ抽出手段と、前記識別ＩＤ抽出手段にて抽出した識別ＩＤを指定した信号である識別ＩＤ指定信号を、前記第二アンテナにて受信可能な周波数を用いて変調し送信する第二Ｒ／Ｗ送信手段とを備えている。
【０００９】
また、請求項５に係る発明のＲＦＩＤタグシステムは、リーダライタを使用して所望のＲＦＩＤタグを探索するＲＦＩＤタグシステムであって、ＲＦＩＤタグは、ＲＦＩＤチップと、前記ＲＦＩＤチップに接続されたアンテナであって、リーダライタより送信された信号電波が照射された場合に発生する電気信号を当該ＲＦＩＤチップに供給するとともに、当該ＲＦＩＤチップより送信される電気信号を信号電波として送信するアンテナである第一アンテナと、前記第一アンテナとは異なるアンテナである第二アンテナと、前記ＲＦＩＤタグを識別するためのＩＤである識別ＩＤを記憶するタグ記憶手段と、リーダライタより送信された信号電波が前記第二アンテナに対して照射された場合に発生する電気信号を復調し受信するタグ受信手段と、報知を行うタグ報知手段と、前記タグ受信手段にて復調され受信された信号に基づき、前記タグ報知手段を制御して報知を実行させるタグ制御手段と、前記タグ受信手段、前記タグ報知手段、及び前記タグ制御手段を駆動させるための電力を供給するタグ電力供給手段であって、前記第一アンテナ及び前記第二アンテナのうち少なくとも一つにリーダライタより送信された信号電波が照射された場合に発生する電気信号から電力を生成するタグ電力供給手段とを備え、前記ＲＦＩＤチップは、固有のＩＤである固有ＩＤを記憶するチップ記憶手段と、前記第一アンテナにて発生した電気信号を復調し受信するチップ受信手段と、前記第一アンテナに対して変調した電気信号を送信し、当該第一アンテナより信号電波を送信させるチップ送信手段とを備え、前記チップ受信手段は、前記第一アンテナにて発生した電気信号を復調して受信し、前記チップ受信手段にて復調され受信された結果の信号が、固有ＩＤを指定した信号である固有ＩＤ指定信号であり、且つ、当該固有ＩＤと、前記チップ記憶手段に記憶されている固有ＩＤとが所定の関係を満たす場合に、前記チップ送信手段は、返答信号を変調して送信し、前記チップ送信手段にて返答信号が変調され送信された後、前記タグ受信手段が前記第二アンテナにて発生した電気信号を復調し受信した場合において、前記タグ制御手段は、前記タグ受信手段にて復調され受信された結果の信号が、識別ＩＤを指定した信号である識別ＩＤ指定信号であり、且つ、当該識別ＩＤと、前記タグ記憶手段に記憶されている識別ＩＤとが所定の関係を満たす場合に、前記タグ報知手段を制御して報知を実行させ、リーダライタは、前記ＲＦＩＤタグを識別するための識別ＩＤと、当該ＲＦＩＤタグに内蔵されているＲＦＩＤチップに固有の固有ＩＤとを対応付けて記憶するＲ／Ｗ記憶手段と、所望のＲＦＩＤタグに内蔵されている前記ＲＦＩＤチップの固有ＩＤを指定した信号である固有ＩＤ指定信号を、前記第一アンテナにて受信可能な周波数を用いて変調し送信する第一Ｒ／Ｗ送信手段と、前記第一Ｒ／Ｗ送信手段にて送信された固有ＩＤ指定信号に応じて、所望のＲＦＩＤタグより返信される返答信号を復調し受信する第一Ｒ／Ｗ受信手段と、前記第一Ｒ／Ｗ受信手段にて前記返答信号を復調し受信した場合に、当該返答信号を返信したＲＦＩＤタグが有する識別ＩＤを、Ｒ／Ｗ記憶手段に記憶されている識別ＩＤを参照して抽出する識別ＩＤ抽出手段と、前記識別ＩＤ抽出手段にて抽出した識別ＩＤを指定した信号である識別ＩＤ指定信号を、前記第二アンテナにて受信可能な周波数を用いて変調し送信する第二Ｒ／Ｗ送信手段とを備えている。
【発明の効果】
【００１０】
請求項１に係る発明のＲＦＩＤタグでは、ＲＦＩＤチップ及びＲＦＩＤチップに接続される第一アンテナとは別に、第二アンテナと、当該第二アンテナにて受信した信号を復調して受信するタグ受信手段と、外部に報知を行うためのタグ報知手段と、タグ受信手段にて復調され受信された信号に基づいて当該報知手段を制御するタグ制御手段とを備えている。従って、報知手段の制御ポートがない既存の安価なＲＦＩＤチップを使用しつつ、報知手段による報知をリーダライタより制御することが可能となる。これにより、所望とするＲＦＩＤタグに報知を実行させることが可能となるので、当該ＲＦＩＤタグを探索することが容易に可能となる。
【００１１】
また、請求項２に係る発明のＲＦＩＤタグでは、タグ受信手段、タグ報知手段、及びタグ制御手段を駆動させるための電力を供給するタグ電力供給手段は、第三アンテナに対してリーダライタからの信号電波が照射された場合に発生する電気信号より電力を生成する。通常、リーダライタから照射される信号電波の強度は弱いため、この信号電波に基づいて消費電力の大きいタグ報知手段を駆動するための電力を生成することは難しい。しかしながら上述の構成とすることにより、請求項１に記載の発明の効果に加えて、第三アンテナに強い電波を照射して、タグ電力供給手段にて報知手段を駆動するために必要な電力を生成させることが可能となる。第三アンテナに照射する電波は、変調信号電波であってもよいし無変調信号電波であってもかまわないため、リーダライタから放射される電波に限定されず他の方法により放射された電波からも電力を生成することが可能となる。そして生成された電力が報知手段を駆動し、報知を行うことが可能となるので、所望とするＲＦＩＤタグを探索することが容易に可能となる。
【００１２】
また、請求項３に係る発明のＲＦＩＤタグでは、まず、第一アンテナにて受信した信号電波（第一信号電波）が自身宛てである場合に返答信号を第一アンテナを介して返信する。次いで、第二アンテナにて受信した信号電波（第二信号電波）が自分宛てである場合に、報知手段を制御して報知を実行させる。これにより、リーダライタ側では、まず所望とするＲＦＩＤタグに対して第一信号電波を送信し、所望とするＲＦＩＤタグが存在するか否かを確認する。そして、返答信号を受信した場合に、所望とするＲＦＩＤタグが存在すると判断し、当該ＲＦＩＤタグの報知手段より報知を実行させるために、第二信号電波を送信する。これにより、請求項１又は２に記載の発明の効果に加えて、ユーザは、所望とするＲＦＩＤタグがリーダライタより放射される電波の放射圏内に存在することをあらかじめ確認し、当該ＲＦＩＤタグに報知を実行させることが可能となる。従って、ＲＦＩＤタグが報知手段より報知を行っているにもかかわらず、ユーザが当該ＲＦＩＤタグを見落としてしまっているような状態が発生しても、ユーザは近傍に所望のＲＦＩＤタグが存在していることを確認できるので、確実にＲＦＩＤタグを探索することが可能となる。
【００１３】
また、請求項４に係る発明のリーダライタは、はじめに、探索するＲＦＩＤタグが内蔵するＲＦＩＤチップの固有ＩＤを指定した固有ＩＤ指定信号を送信することにより、所望のＲＦＩＤタグが存在するか否かを確認する。そして、所望のＲＦＩＤタグより返答信号が返信された場合に、所望のＲＦＩＤタグが存在していると判断して、当該ＲＦＩＤタグの報知手段より報知を実行させるために、ＲＦＩＤタグを識別するための識別ＩＤを指定した識別ＩＤ指定信号を送信する。これにより、ユーザは、所望とするＲＦＩＤタグがリーダライタより放射される電波の放射圏内に存在することをあらかじめ確認し、当該ＲＦＩＤタグに報知を実行させることが可能となる。従って、ＲＦＩＤタグが報知手段より報知を行っているにもかかわらず、ユーザが当該ＲＦＩＤタグを見落としてしまっているような状態が発生しても、ユーザは近傍に所望のＲＦＩＤタグが存在していることを確認できるので、確実にＲＦＩＤタグを探索することが可能となる。
【００１４】
また、請求項５に係る発明のＲＦＩＤタグシステムでは、ＲＦＩＤタグは、報知手段の制御ポートがない既存の安価なＲＦＩＤチップを採用しつつ、報知手段による報知をリーダライタより制御することが可能となる。これにより、所望とするＲＦＩＤタグに報知を実行させることが可能となるので、当該ＲＦＩＤタグを探索することが容易に可能となる。また、ユーザは、所望とするＲＦＩＤタグがリーダライタより放射される電波の放射圏内に存在することをあらかじめ確認し、当該ＲＦＩＤタグに報知を実行させることが可能となる。従って、ＲＦＩＤタグが報知手段より報知を行っているにもかかわらず、ユーザが当該ＲＦＩＤタグを見落としてしまっているような状態が発生しても、ユーザは近傍に所望のＲＦＩＤタグが存在していることを確認できるので、確実にＲＦＩＤタグを探索することが可能となる。
【発明を実施するための最良の形態】
【００１５】
以下、本発明を具体化したＲＦＩＤタグ１、リーダライタ２１、及びＲＦＩＤタグシステム５０の実施の形態について、図面を参照して説明する。なお、これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００１６】
はじめに、図１を参照して、ＲＦＩＤタグ１及びリーダライタ２１を使用したＲＦＩＤタグシステム５０の一例である、書籍探索システムの概要について説明する。図１は、書籍探索システムを示した模式図である。
【００１７】
図１に示すように、背表紙にＲＦＩＤタグ１が貼付された状態の書籍１００が、書棚に複数陳列されている。ＲＦＩＤタグ１にはＬＥＤ１７が設けられている。そしてユーザは、リーダライタ２１を使用することによって、これらの書籍の中から所望の書籍に貼付されたＲＦＩＤタグ１のＬＥＤ１７を点灯させ、当該書籍を探索する。
【００１８】
書籍探索方法の概要について説明する。ユーザははじめに、探索したい書籍の情報（表題「○○○○」、図書番号等、以下「書籍関連情報」という。）をリーダライタ２１のＲ／Ｗ入力部２７より入力する。そしてユーザは、リーダライタ２１における電波が放射する放射面（図１中リーダライタ２１の紙面手奥行き側）を書棚側に向けた状態として探索を開始する。
【００１９】
探索が開始されると、リーダライタ２１に付属するアンテナのうち第一Ｒ／Ｗアンテナ２５（図４参照）より、探索したい書籍（以下「探索書籍」という。）に貼付されているＲＦＩＤタグ（以下「探索ＲＦＩＤタグ」という。）を指定した信号電波が放射される。この状態でユーザは、リーダライタ２１より放射される信号電波の向きを徐々に変えながら、陳列されている状態の書籍に対して順番に信号電波を照射させる。そして、書棚に陳列された書籍のうち、探索書籍の背表紙に貼付された探索ＲＦＩＤタグに信号電波が照射される。
【００２０】
信号電波が照射された探索ＲＦＩＤタグは、信号電波を復調した信号から、自身がリーダライタ２１より指定されているか否かを判断する。そして、指定されていると判断した場合、探索ＲＦＩＤタグはＬＥＤ１７を点灯させる。これによりユーザは、複数の書籍のうち、ＬＥＤ１７が点灯したＲＦＩＤタグ１が貼付された書籍（表題：「○○○○」）を探索書籍として認識することが可能となる。
【００２１】
次に、ＲＦＩＤタグ１及びリーダライタ２１の電気的構成について、図２〜図４を参照して説明する。図２は、ＲＦＩＤタグ１の電気的構成を示す模式図であり、図３は、ＲＦＩＤタグ１の電源構成を示す模式図であり、図４は、リーダライタ２１の電気的構成を示す模式図である。
【００２２】
はじめに、図２を参照し、ＲＦＩＤタグ１の電気的構成について説明する。図２に示すように、ＲＦＩＤタグ１は、ＲＦＩＤチップ４０と、報知制御用通信部４１と、ＲＦＩＤチップ４０に接続された第一アンテナ５と、報知制御用通信部４１に接続された第二アンテナ１５とを備えている。
【００２３】
これらのうち、第一アンテナ５及び第二アンテナ１５は、所謂ループアンテナにて構成されている。そして電波が照射された場合に、電磁誘導により電流を生じさせることが可能であるとともに、各々のアンテナに電気信号を送信することにより、所定の周波数の電波を放射させることが可能となっている。
【００２４】
なお第一アンテナ５及び第二アンテナ１５は、所定の周波数にて共振現象が発生するように双方のアンテナのループ径及び巻数が調整されている。これにより、リーダライタ２１より放射された信号電波が第一アンテナ５及び第二アンテナ１５に対して照射された場合に、効率よく電気信号を取り出すことが可能となっている。また、チップ変調部３（後述）より電気信号が送信された場合に、信号電波を効率よく放射させることが可能となっている。
【００２５】
なお、上述の第一アンテナ５及び第二アンテナ１５は、同一の径及び同一の巻数にて構成されていてもかまわないし、異なる径及び異なる巻数にて構成されていてもかまわない。また、第一アンテナ５及び第二アンテナ１５にて送受信可能な電波の周波数としては、リーダライタ２１と通信を行うことが可能であれば、特定の周波数に限定されず、さまざまな周波数が使用可能であることは勿論である。例えば、１３．５６ＭＨｚや２．４ＧＨｚの周波数が使用される。
【００２６】
次に、ＲＦＩＤチップ４０の電気的構成について説明する。ＲＦＩＤチップ４０は、通信処理や判断処理、表示処理等の制御を司るチップ制御部２と、第一アンテナ５より送信可能な変調信号を生成するチップ変調部３と、第一アンテナ５より受信した電気信号を復調するチップ復調部４と、不揮発性記憶素子であるチップ記憶部８と、チップ電源供給部６とから構成されている。
【００２７】
これらのうち、チップ復調部４は、第一アンテナ５に信号電波が照射されることにより発生した電気信号を復調するために設けられており、第一アンテナ５と電気的に接続している。また、復調した電気信号をチップ制御部２に対して送信することが可能なように、チップ復調部４はチップ制御部２と電気的に接続している。またチップ変調部３は、チップ制御部２より送信された電気信号を第一アンテナ５を介して送信させることが可能な変調信号に変調するために設けられており、チップ制御部２及び第一アンテナ５と電気的に接続している。
【００２８】
なお、チップ変調部３における変調方式、及びチップ復調部４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００２９】
またチップ記憶部８には、固有ＩＤ記憶領域９が設けられており、固有ＩＤが記憶されている。固有ＩＤは、ＲＦＩＤチップ４０を特定するために使用される固有のＩＤであり、ＲＦＩＤチップ同士を識別するために使用される。そして、チップ制御部２よりチップ記憶部８に記憶されている情報を参照することが可能なように、チップ記憶部８はチップ制御部２と電気的に接続している。
【００３０】
またチップ電源供給部６は、第一アンテナ５に信号電波が照射されることにより発生した電流を蓄電する。蓄電された電力は、チップ制御部２、チップ変調部３、チップ復調部４、及びチップ記憶部８を駆動させる電力として使用される。
【００３１】
なお、上述のＲＦＩＤチップ４０としては、従来公知のＲＦＩＤチップが使用される。
【００３２】
次に、報知制御用通信部４１について説明する。報知制御用通信部４１は、通信処理や判断処理、表示処理等の制御を司る報知制御部１２と、第二アンテナ１５より受信した電気信号を復調する報知復調部１４と、不揮発性記憶素子である報知記憶部１８と、ＬＥＤ１７と、報知電源供給部１６とから構成されている。
【００３３】
これらのうち、報知復調部１４は、第二アンテナ１５に信号電波が照射されることにより発生した電気信号を復調するために設けられており、第二アンテナ１５と電気的に接続している。また、復調した電気信号を報知制御部１２に対して送信することが可能なように、報知復調部１４は報知制御部１２と電気的に接続している。
【００３４】
なお、報知復調部１４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００３５】
また報知記憶部１８には、識別ＩＤ記憶領域１９が設けられており、識別ＩＤが記憶されている。識別ＩＤは、ＲＦＩＤタグ１同士を識別し、ＲＦＩＤタグ１を特定するために使用される。そして、報知制御部１２より報知記憶部１８に記憶されている情報を参照することが可能なように、報知記憶部１８は報知制御部１２と電気的に接続している。
【００３６】
またＬＥＤ１７は、報知制御部１２からの制御信号に基づいて点灯／消灯を切り替えることが可能なように、報知制御部１２と電気的に接続している。また報知電源供給部１６は、第二アンテナ１５に信号電波が照射されることにより発生した電流を蓄電する。そして蓄電された電力は、報知制御部１２、報知復調部１４、ＬＥＤ１７、及び報知記憶部１８を駆動させる電力として使用される。
【００３７】
次に、図３を参照し、ＲＦＩＤタグ１の電源構成について説明する。図３に示すように、ＲＦＩＤチップ４０のチップ電源供給部６は、第一アンテナ５にて発生した電流を蓄電し、チップ制御部２、チップ変調部３、チップ復調部４、及びチップ記憶部８を駆動させるために、これらの機能ブロックに電力を供給する。これによりＲＦＩＤチップ４０は駆動し、各種処理を実行する。また、報知制御用通信部４１の報知電源供給部１６は、第二アンテナ１５にて発生した電流を蓄電する。そして、報知制御部１２、報知復調部１４、ＬＥＤ１７、及び報知記憶部１８を駆動させるために、これらのデバイスに電力を供給する。これにより報知制御用通信部４１を構成する各デバイスは駆動し、各種処理を実行する。
【００３８】
次に、図４を参照して、リーダライタ２１の電気的構成について説明する。図４に示すように、リーダライタ２１は、通信処理や判断処理等、リーダライタ２１の全体の制御を司るＲ／Ｗ制御部２２と、ループ形状を有するアンテナより構成される第一Ｒ／Ｗアンテナ２５と第二Ｒ／Ｗアンテナ３１と、第一Ｒ／Ｗアンテナ２５より送信可能な変調信号を生成する第一Ｒ／Ｗ変調部２３と、第一Ｒ／Ｗアンテナ２５より受信した信号を復調する第一Ｒ／Ｗ復調部２４と、第二Ｒ／Ｗアンテナ３１より送信可能な変調信号を生成する第二Ｒ／Ｗ変調部３０と、Ｒ／Ｗ入力部２７と、不揮発性記憶素子であるＲ／Ｗ記憶部２８とから構成されている。
【００３９】
第一Ｒ／Ｗアンテナ２５及び第二Ｒ／Ｗアンテナ３１は、所謂ループアンテナにて構成されている。そして電波が照射された場合に、電磁誘導により各々のアンテナに電流を生じさせることが可能であるとともに、各々のアンテナに電気信号を送信することにより、所望の信号電波を放射させることが可能となっている。
【００４０】
なお第一Ｒ／Ｗアンテナ２５及び第二Ｒ／Ｗアンテナ３１は、所定の周波数にて共振現象が発生するように双方のアンテナのループ径及び巻数が調整されている。これにより、ＲＦＩＤタグ１より放射された信号電波が照射された場合に、効率よく電気信号を取り出すことが可能となっている。また、第一Ｒ／Ｗ変調部２３及び第二Ｒ／Ｗ変調部３０より電気信号が送信された場合に、信号電波を効率よく放射させることが可能となっている。
【００４１】
なお、上述の第一Ｒ／Ｗアンテナ２５は、ＲＦＩＤタグ１が備える第一アンテナ５と信号電波の送受信が可能なように、ループアンテナの径や巻数が調整されている。これにより、リーダライタ２１のＲ／Ｗ制御部２２は、ＲＦＩＤタグ１が備えるＲＦＩＤチップ４０のチップ制御部２と通信を行うことが可能となっている。
【００４２】
また、上述の第二Ｒ／Ｗアンテナ３１は、ＲＦＩＤタグ１が備える第二アンテナ１５と信号電波の送受信が可能なように、ループアンテナの径や巻数が調整されている。これにより、リーダライタ２１のＲ／Ｗ制御部２２は、ＲＦＩＤタグ１が備える報知制御用通信部４１の報知制御部１２と通信を行うことが可能となっている。
【００４３】
なお、第一Ｒ／Ｗアンテナ２５にて送受信可能な電波の周波数としては、第一Ｒ／Ｗアンテナ２５と第一アンテナ５とが通信可能であれば、特定の周波数に限定されず、さまざまな周波数が使用可能である。また、第二Ｒ／Ｗアンテナ３１にて送受信可能な電波の周波数としては、第二Ｒ／Ｗアンテナ３１と第二アンテナ１５とが通信可能であれば、特定の周波数に限定されず、さまざまな周波数が使用可能である。例えば、１３．５６ＭＨｚや２．４ＧＨｚの周波数が使用される。
【００４４】
また第一Ｒ／Ｗ復調部２４は、第一Ｒ／Ｗアンテナ２５に電波が照射されることにより発生した電気信号を復調するために設けられており、第一Ｒ／Ｗアンテナ２５と電気的に接続している。また、復調した電気信号をＲ／Ｗ制御部２２に対して送信することが可能なように、第一Ｒ／Ｗ復調部２４はＲ／Ｗ制御部２２と電気的に接続している。
【００４５】
また第一Ｒ／Ｗ変調部２３は、Ｒ／Ｗ制御部２２より送信された電気信号を第一Ｒ／Ｗアンテナ２５より送信させることが可能な変調信号に変調するために設けられている。そして第一Ｒ／Ｗ変調部２３は、Ｒ／Ｗ制御部２２及び第一Ｒ／Ｗアンテナ２５と電気的に接続している。また第二Ｒ／Ｗ変調部３０は、Ｒ／Ｗ制御部２２より送信された電気信号を第二Ｒ／Ｗアンテナ３１より送信させることが可能な変調信号に変調するために設けられており、Ｒ／Ｗ制御部２２及び第二Ｒ／Ｗアンテナ３１と電気的に接続している。
【００４６】
なお、第一Ｒ／Ｗ変調部２３、及び第二Ｒ／Ｗ変調部３０における変調方式、及び第一Ｒ／Ｗ復調部２４における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００４７】
またＲ／Ｗ入力部２７は、ユーザが探索する書籍の書籍関連情報を入力するために設けられており、押ボタンやタッチセンサ等により構成されている。
【００４８】
またＲ／Ｗ記憶部２８には、固有ＩＤ割当情報記憶領域２９が設けられている。固有ＩＤ割当情報記憶領域２９には、ＲＦＩＤタグ１のチップ記憶部８（図２参照）に記憶されている固有ＩＤと、当該ＲＦＩＤタグ１が貼付されている書籍の書籍関連情報とが対応付けられた情報である固有ＩＤ割当情報が記憶される。またＲ／Ｗ記憶部２８には、照合情報記憶領域３２が設けられている。照合情報記憶領域３２には、ＲＦＩＤチップ４０のチップ記憶部８（図２参照）に記憶されている固有ＩＤと、当該ＲＦＩＤチップ４０が内蔵されたＲＦＩＤタグ１の報知制御用通信部４１中報知記憶部１８に記憶されている識別ＩＤとが対応付けられた情報である固有ＩＤ−識別ＩＤ照合情報が記憶される。
【００４９】
固有ＩＤ割当情報は、Ｒ／Ｗ入力部２７を介してユーザにより探索書籍の書籍関連情報が入力された場合において、該当する書籍に貼付されているＲＦＩＤタグ１に内蔵されたＲＦＩＤチップ４０の固有ＩＤを検索するために、Ｒ／Ｗ制御部２２より参照される。また、固有ＩＤ−識別ＩＤ照合情報は、所定の固有ＩＤを有するＲＦＩＤチップ４０が内蔵されたＲＦＩＤタグ１の識別ＩＤを検索し、当該ＲＦＩＤタグ１が備えるＬＥＤ１７を点灯させるために、Ｒ／Ｗ制御部２２より参照される。そして、Ｒ／Ｗ制御部２２よりＲ／Ｗ記憶部２８に記憶されている各情報を参照することが可能なように、Ｒ／Ｗ記憶部２８はＲ／Ｗ制御部２２と電気的に接続している。
【００５０】
次に、ＲＦＩＤタグ１中ＲＦＩＤチップ４０のチップ制御部２、報知制御用通信部４１の報知制御部１２、及びリーダライタ２１のＲ／Ｗ制御部２２により実行される処理について、図５〜図７を参照して説明する。図５は、リーダライタ２１のＲ／Ｗ制御部２２にて実行されるＲＦＩＤタグ探索処理のフローチャートであり、図６は、ＲＦＩＤタグ１のチップ制御部２にて実行される報知処理のフローチャートであり、図７は、ＲＦＩＤタグ１の報知制御部１２にて実行される報知処理のフローチャートである。
【００５１】
なお、リーダライタ２１のＲ／Ｗ制御部２２は、電源投入により図５に示す処理を繰り返し実行する。また、ＲＦＩＤタグ１中ＲＦＩＤチップ４０のチップ制御部２は、リーダライタ２１より放射された信号電波が第一アンテナ５に照射され、チップ電源供給部６（図３参照）にて駆動電力が生成され、チップ制御部２に電力が供給された場合に、図６に示す処理を実行する。また、ＲＦＩＤタグ１中報知制御用通信部４１の報知制御部１２は、リーダライタ２１より放射された信号電波が第二アンテナ１５に照射され、報知電源供給部１６（図３参照）にて駆動電力が生成され、報知制御部１２に電力が供給された場合に、図７に示す処理を実行する。
【００５２】
図５に示すように、リーダライタ２１のＲ／Ｗ制御部２２は、電源が投入された状態で、Ｒ／Ｗ入力部２７を監視し、ユーザによりＲ／Ｗ入力部２７を介して入力操作がなされるまで待機している（Ｓ１１：ＮＯ）。
【００５３】
そして、Ｒ／Ｗ入力部２７を介してユーザにより探索書籍に関連する書籍関連情報の入力操作がなされ、これをＲ／Ｗ制御部２２が検出した場合（Ｓ１１：ＹＥＳ）、Ｒ／Ｗ制御部２２は、Ｒ／Ｗ記憶部２８の固有ＩＤ割当情報記憶領域２９に記憶されている固有ＩＤ割当情報を参照し、入力された書籍関連情報に相当する書籍に貼付されているＲＦＩＤタグ１の固有ＩＤを特定する（Ｓ１２）。
【００５４】
次いでユーザにより、リーダライタ２１のアンテナ（第一Ｒ／Ｗアンテナ２５及び第二Ｒ／Ｗアンテナ３１）が配置され信号電波が放射される放射面が、書棚側に向けられる。そしてこの状態で、Ｒ／Ｗ制御部２２は、Ｓ１２にて特定した固有ＩＤを指定した固有ＩＤ指定信号を第一Ｒ／Ｗアンテナ２５より送信させるために、第一Ｒ／Ｗ変調部２３に対して固有ＩＤ指定信号を送信する（Ｓ１３）。
【００５５】
Ｒ／Ｗ制御部２２より送信された固有ＩＤ指定信号は、第一Ｒ／Ｗ変調部２３において、第一Ｒ／Ｗアンテナ２５より放射させることが可能な周波数に変調される。そして変調された固有ＩＤ指定信号が、第一Ｒ／Ｗアンテナ２５より信号電波として放射される。
【００５６】
一方、ＲＦＩＤタグ１のＲＦＩＤチップ４０では、リーダライタ２１の第一Ｒ／Ｗアンテナ２５より放射された信号電波が第一アンテナ５に照射された場合、チップ電源供給部６がチップ制御部２等の駆動のために必要な電力を生成する。これによりチップ制御部２が起動し、図６における処理を開始する。
【００５７】
図６に示すように、起動したチップ制御部２は、第一アンテナ５により受信し、チップ復調部４にて復調された結果の復調信号を受信するまで待機している。そして復調信号を受信し、受信した信号が、Ｓ１３（図５参照）の処理に基づいてリーダライタ２１より送信された固有ＩＤ指定信号であると判断した場合には（Ｓ３１：ＹＥＳ）、次いで、受信した固有ＩＤ指定信号にて指定されている固有ＩＤと、チップ記憶部８の固有ＩＤ記憶領域９に記憶されている固有ＩＤとを比較する。
【００５８】
そして、受信した固有ＩＤ指定信号にて指定された固有ＩＤと、読みだした固有ＩＤとが一致する場合には（Ｓ３３：ＹＥＳ）、チップ制御部２は、リーダライタ２１に対して返答信号を返信し、リーダライタ２１に対して固有ＩＤ指定信号を受信した旨を通知する必要がある。そこでチップ制御部２は、読みだした固有ＩＤの情報を含む固有ＩＤ返答信号をチップ変調部３に対して送信する（Ｓ３５）。そしてチップ制御部２は報知処理を終了する。
【００５９】
チップ制御部２より送信された固有ＩＤ返答信号は、チップ変調部３において、第一アンテナ５より放射させることが可能な周波数に変調される。そして、変調された固有ＩＤ返答信号が、第一アンテナ５より信号電波として放射される。
【００６０】
一方チップ制御部２は、復調信号がリーダライタ２１より送信された固有ＩＤ指定信号でない場合には（Ｓ３１：ＮＯ）、Ｓ３１に戻って引き続き継続して固有ＩＤ指定信号を受信するまで待機する。また、復調信号が固有ＩＤ指定信号である場合であっても（Ｓ３１：ＹＥＳ）、受信した固有ＩＤ指定信号にて指定された固有ＩＤと、チップ記憶部８の固有ＩＤ記憶領域９に記憶されている固有ＩＤとが一致しない場合には（Ｓ３３：ＮＯ）、報知処理を終了する。
【００６１】
なお、上述の処理においては、受信した固有ＩＤ指定信号にて指定された固有ＩＤと、チップ記憶部８の固有ＩＤ記憶領域９に記憶されている固有ＩＤとが一致するか否かを判断しているが、判断方法はこの方法に限定されない。従ってＲＦＩＤチップ４０のチップ制御部２は、受信した固有ＩＤと読みだした固有ＩＤとの関係が所定の規則に則っている場合に、リーダライタ２１に対して固有ＩＤ指定信号を受信した旨を通知する必要があると判断し、固有ＩＤ返答信号をチップ変調部３に対して送信してもかまわない。
【００６２】
図５に示すように、固有ＩＤ指定信号を送信した（Ｓ１３参照）後のリーダライタ２１のＲ／Ｗ制御部２２は、ＲＦＩＤタグ１より固有ＩＤ返答信号を受信するまで継続して固有ＩＤ指定信号の送信処理を繰り返す（Ｓ１５：ＮＯ→Ｓ１３）。そして、ＲＦＩＤタグ１からの信号電波を第一Ｒ／Ｗアンテナ２５が受け、第一Ｒ／Ｗ復調部２４にて復調され、復調された結果の復調信号が、Ｓ３５（図６参照）の処理に基づいてＲＦＩＤタグ１より送信された固有ＩＤ返答信号である場合には（Ｓ１５：ＹＥＳ）、次いでＲ／Ｗ制御部２２は、受信した固有ＩＤ返答信号に含まれている固有ＩＤと、Ｓ１２において特定した固有ＩＤとを比較する（Ｓ１７）。そして双方が一致する場合には（Ｓ１７：ＹＥＳ）、リーダライタ２１の第一Ｒ／Ｗアンテナ２５より放射された固有ＩＤ指定信号の電波の放射圏内に、探索書籍及び探索ＲＦＩＤタグが存在していると判断する。
【００６３】
一方、復調された結果の復調信号が固有ＩＤ返答信号であっても（Ｓ１５：ＹＥＳ）、含まれている固有ＩＤが、Ｓ１２において特定した固有ＩＤと一致しない場合には（Ｓ１７：ＮＯ）、リーダライタ２１の第一Ｒ／Ｗアンテナ２５より放射されている信号電波の放射圏内に、探索書籍及び探索ＲＦＩＤタグが存在しておらず、探索対象外の書籍に貼付されているＲＦＩＤタグより返信された固有ＩＤ返信信号であると判断する。このような場合には、ユーザによりリーダライタ２１の向きが調整され、電波の放射方向が変更される。そして、Ｓ１３に戻り、信号電波の放射圏内に探索書籍及び探索ＲＦＩＤタグが存在する状態となるまで、上述の処理が繰り返し実行される。
【００６４】
なお、上述の処理においては、受信した固有ＩＤと、Ｓ１２において特定した固有ＩＤとが同一であるか否かを判断しているが、判断方法はこの方法に限定されない。従ってＲ／Ｗ制御部２２は、受信した固有ＩＤとＳ１２にて特定した固有ＩＤとの関係が所定の規則に則っている場合に、リーダライタ２１より放射されている信号電波の放射圏内に、探索書籍及び探索ＲＦＩＤタグが存在していると判断してもかまわない。
【００６５】
Ｓ１７において、リーダライタ２１より放射されている電波の放射圏内に、探索書籍及び探索ＲＦＩＤタグが存在していると判断された場合（Ｓ１７：ＹＥＳ）、次いでＲ／Ｗ制御部２２は、Ｓ１２にて特定した固有ＩＤがチップ記憶部８に記憶された状態のＲＦＩＤチップ４０が内蔵されたＲＦＩＤタグ（探索ＲＦＩＤタグ）の識別ＩＤを検索し特定する。具体的には、Ｒ／Ｗ記憶部２８の照合情報記憶領域３２に記憶されている固有ＩＤ−識別ＩＤ照合情報を参照し、Ｓ１２にて特定した固有ＩＤに対応付けられている識別ＩＤを探索ＲＦＩＤの固有ＩＤとして特定する（Ｓ１９）。
【００６６】
次いでＲ／Ｗ制御部２２は、探索ＲＦＩＤタグが備えるＬＥＤ１７を点灯させるために、探索ＲＦＩＤタグの識別ＩＤを指定した識別ＩＤ指定信号を第二Ｒ／Ｗ変調部３０に対して送信する（Ｓ２１）。送信された識別ＩＤ指定信号は、第二Ｒ／Ｗ変調部３０において、第二Ｒ／Ｗアンテナ３１より放射させることが可能な周波数に変調される。そして、変調された識別ＩＤ指定信号が、第二Ｒ／Ｗアンテナ３１より信号電波として放射される。その後Ｒ／Ｗ制御部２２は、Ｓ１１に戻って上述の処理を繰り返し実行する。
【００６７】
一方、ＲＦＩＤタグ１の報知制御用通信部４１では、リーダライタ２１の第二Ｒ／Ｗアンテナ３１より放射された信号電波が第二アンテナ１５に照射された場合、報知電源供給部１６が報知制御部１２等の駆動のために必要な電力を生成する。これにより報知制御部１２が起動し、図７における処理を開始する。
【００６８】
図７に示すように、起動した報知制御用通信部４１の報知制御部１２は、はじめに、第二アンテナ１５により受信し、報知復調部１４にて復調された結果の復調信号を受信するまで待機している（Ｓ４１：ＮＯ）。そして復調信号を受信し、受信した信号がリーダライタ２１より送信された識別ＩＤ指定信号であると判断した場合には（Ｓ４１：ＹＥＳ）、次いで、報知記憶部１８の識別ＩＤ記憶領域１９に記憶されている識別ＩＤを読み出す。そして、受信した識別ＩＤ指定信号にて指定された識別ＩＤと、読みだした識別ＩＤとが一致するか否かを判断する。
【００６９】
受信した識別ＩＤ指定信号にて指定された識別ＩＤと、読みだした識別ＩＤとが一致する場合には（Ｓ４３：ＹＥＳ）、報知制御部１２は、リーダライタ２１よりＬＥＤ１７を点灯させる旨の指示（Ｓ２１、図５参照）がなされたと判断し、ＬＥＤ１７を点灯させる（Ｓ４５）。そして報知制御部１２はＲＦＩＤタグ検索処理を終了する。
【００７０】
一方、報知制御部１２は、受信した識別ＩＤ指定信号にて指定された識別ＩＤと、報知記憶部１８の識別ＩＤ記憶領域１９より読みだした識別ＩＤとが一致しない場合には（Ｓ４３：ＮＯ）、自身がリーダライタ２１より探索されているＲＦＩＤタグではないものと判断する。この場合、ＬＥＤ１７を点灯させる必要はないので、以降特段の処理を行うことなく報知処理を終了する。
【００７１】
以上説明したように、上記実施の形態では、ＲＦＩＤタグ１がＲＦＩＤチップ４０とともに報知制御用通信部４１を備えることによって、報知手段（ＬＥＤ等）の制御ポートを有しないＲＦＩＤチップ４０を使用した構成のＲＦＩＤタグ１であっても、報知手段を制御することが可能となる。これにより、リーダライタ２１を使用して容易に探索ＲＦＩＤタグを探索することが可能となる。
【００７２】
また、リーダライタ２１は、探索ＲＦＩＤタグを探索する場合において、はじめに、ＲＦＩＤチップ４０の固有ＩＤを指定した固有ＩＤ指定信号を送信する。そして、探索ＲＦＩＤタグより固有ＩＤ返答信号が送信され、これをリーダライタ２１にて受信した場合に、リーダライタ２１は、放射した固有ＩＤ指定信号の電波の放射圏内に探索ＲＦＩＤタグが存在しているものと判断する。そして、当該探索ＲＦＩＤタグが備えるＬＥＤ１７を点灯させるための信号である識別ＩＤ指定信号を送信する。これによりリーダライタ２１は、あらかじめ信号電波の放射圏内に探索ＲＦＩＤが存在しているか否かを確認することができるので、確実にＲＦＩＤタグを探索することが可能となる。また、不要な信号電波送信を抑制して、電波のトラフィックを抑制することが可能となる。
＜変形例＞
【００７３】
以下、本発明の変形例について、図８及び図９を参照して説明する。図８は、変形例におけるＲＦＩＤタグ１の電気的構成を示す模式図である。また図９は、変形例におけるＲＦＩＤタグ１の電源構成を示す模式図である。
【００７４】
はじめに、図８を参照して、変形例におけるＲＦＩＤタグ１の電気的構成について説明する。変形例におけるＲＦＩＤタグ１では、第二アンテナ１５とは別に第三アンテナ３５を備えている。また、第三アンテナ３５は、報知制御用通信部４１の各機能ブロックが駆動するための電力を供給する報知電源供給部１６と電気的に接続している。そして、第三アンテナ３５に信号電波が照射されることにより発生した電流を蓄電し、報知制御部１２、報知復調部１４、ＬＥＤ１７、及び報知記憶部１８を駆動させる電力を生成する。なお、その他の構成については既述の実施の形態におけるＲＦＩＤタグ１の電気的構成と同様であるので、説明を省略する。
【００７５】
次に、図９を参照して、変形例におけるＲＦＩＤタグ１の電源構成について説明する。図７に示すように、報知制御用通信部４１の報知電源供給部１６は、第三アンテナ３５にて発生した電流を蓄電し、報知制御部１２、報知復調部１４、ＬＥＤ１７、及び報知記憶部１８を駆動させるために、これらのデバイスに電力を供給する。これにより報知制御用通信部４１を構成する各デバイスは駆動し、各種処理を実行する。
【００７６】
上記構成とすることにより、第三アンテナ３５に強い信号電波を照射すれば、報知電源供給部１６は大きな電力を生成することが可能となる。これにより、ＬＥＤ１７を点灯させる場合に消費される大きな電力を報知電源供給部１６にて生成することが可能となる。リーダライタ２１より照射される信号電波の強度は一般的に小さいが、上述の構成とすることにより、第三アンテナ３５に別途強い電波を照射することによって、確実にＬＥＤ１７を点灯させることが可能となる。
【００７７】
なお、図７のＳ４１において、報知制御用通信部４１にて復調された結果の信号を受信する処理を行う報知制御部１２が、本発明の「タグ受信手段」に相当し、図２に示すＬＥＤ１７が、本発明の「タグ報知手段」に相当し、図７のＳ４５において、ＬＥＤ１７を制御して点灯させる制御を行う報知制御部１２が、本発明の「タグ制御手段」に相当し、図２に示す報知電源供給部１６が、本発明の「タグ電力供給手段」に相当し、図２に示す報知記憶部１８が、本発明の「タグ記憶手段」に相当する。
【００７８】
また、図２に示すチップ記憶部８が、本発明の「チップ記憶手段」に相当し、図６のＳ３１において、チップ復調部４にて復調された結果の信号を受信する処理を行うチップ制御部２が、本発明の「チップ受信手段」に相当し、図６のＳ３５において、チップ変調部３に対して信号を送信し、第一アンテナ５より変調信号を送信させる処理を行うチップ制御部２が、本発明の「チップ送信手段」に相当する。
【００７９】
また、図４に示すＲ／Ｗ記憶部２８が、本発明の「Ｒ／Ｗ記憶手段」に相当し、図５のＳ１３にて、第一Ｒ／Ｗ変調部２３に対して信号を送信し、第一Ｒ／Ｗアンテナ２５より変調信号を送信させる処理を行うＲ／Ｗ制御部２２が、本発明の「第一Ｒ／Ｗ送信手段」に相当し、図５のＳ１５にて、第一Ｒ／Ｗ復調部２４にて復調された結果の信号を受信する処理を行うＲ／Ｗ制御部２２が、本発明の「第一Ｒ／Ｗ受信手段」に相当し、図５のＳ１９にて、識別ＩＤを特定する処理を行うＲ／Ｗ制御部２２が、本発明の「識別ＩＤ抽出手段」に相当し、図５のＳ２１にて、第二Ｒ／Ｗ変調部３０に対して信号を送信し、第二Ｒ／Ｗアンテナ３１より変調信号を送信させる処理を行うＲ／Ｗ制御部２２が、本発明の「第二Ｒ／Ｗ送信手段」に相当する。
【００８０】
なお、本発明は上記実施の形態及び上記変形例に限定されるものではなく、種々の変更が可能である。
【００８１】
上述の実施の形態では、ＲＦＩＤタグ１は報知手段としてＬＥＤ１７を備えていたが、報知手段はＬＥＤに限定されない。従って、他の報知手段を実現するためのデバイス（ブザー等）を備えた構成であってもよい。
【００８２】
また上述の実施の形態では、報知電源供給部１６は第二アンテナ１５に信号電波が照射されたことに基づき発生する電流を蓄電しているが、この構成に限定されず、第一アンテナ５に信号電波が照射されたことに基づき発生する電流を蓄電する構成としてもよい。
【図面の簡単な説明】
【００８３】
【図１】書籍探索システムの模式図である。
【図２】ＲＦＩＤタグ１の電気的構成を示す模式図である。
【図３】ＲＦＩＤタグ１の電源構成を示す模式図である。
【図４】リーダライタ２１の電気的構成を示す模式図である。
【図５】リーダライタ２１のＲ／Ｗ制御部２２にて実行されるＲＦＩＤタグ探索処理のフローチャートである。
【図６】ＲＦＩＤタグ１のチップ制御部２にて実行される報知処理のフローチャートである。
【図７】ＲＦＩＤタグ１の報知制御部１２にて実行される報知処理のフローチャートである。
【図８】変形例におけるＲＦＩＤタグ１の電気的構成を示す模式図である。
【図９】変形例におけるＲＦＩＤタグ１の電源構成を示す模式図である。
【符号の説明】
【００８４】
１    ＲＦＩＤタグ
２    チップ制御部
３    チップ変調部
４    チップ復調部
５    第一アンテナ
６    チップ電源供給部
８    チップ記憶部
１２  報知制御部
１４  報知復調部
１５  第二アンテナ
１６  報知電源供給部
１７  ＬＥＤ
１８  報知記憶部
２１  リーダライタ
２２  Ｒ／Ｗ制御部
２３  第一Ｒ／Ｗ変調部
２４  第一Ｒ／Ｗ復調部
２５  第一Ｒ／Ｗアンテナ
２７  Ｒ／Ｗ入力部
２８  Ｒ／Ｗ記憶部
３０  第二Ｒ／Ｗ変調部
３１  第二Ｒ／Ｗアンテナ
３５  第三アンテナ
４０  ＲＦＩＤチップ
４１  報知制御用通信部
５０  ＲＦＩＤタグシステム
【図１】
0005151713.tif 000002
【図２】
0005151713.tif 000003
【図３】
0005151713.tif 000004
【図４】
0005151713.tif 000005
【図５】
0005151713.tif 000006
【図６】
0005151713.tif 000007
【図７】
0005151713.tif 000008
【図８】
0005151713.tif 000009
【図９】
0005151713.tif 000010